(57)【要約】【課題】表示画面のズームに関するユーザの使い勝手を向上させることができる携帯端末を提供する。【解決手段】表示画面上に画像が表示された状態で（（ａ））、ユーザにより、ズーム枠を表示指示するためのコマンドアイコン２０２が操作されると、ズーム枠２０９が表示され（（ｂ））、続いて、ズーム枠２０９の位置および大きさが指定された後、ズームインが指示されると、ズーム枠２０９内の画像が、ズーム枠２０９の大きさに応じて拡大表示される（（ｃ））一方、ズームアウトが指示されると、ズーム枠２０９内の画像が、ズーム枠２０９の大きさに応じて縮小表示される（（ｄ））。【選択図】    図６
2004157869.tif 000002
【特許請求の範囲】
【請求項１】
画像を表示するとともに、該画像上にズーム領域を表示する表示手段と、
前記ズーム領域の位置および大きさを指示する指示手段と、
前記ズーム領域が、前記指示手段によって指示された位置および大きさになるように、前記表示手段を制御する制御手段と、
該制御手段によって制御されたズーム領域に基づいて、該ズーム領域内の画像をズームするズーム手段と
を有することを特徴とする携帯端末。
【発明の詳細な説明】
【０００１】
【発明の属する技術分野】
本発明は、表示画面の一部領域をズーム可能な携帯端末に関する。
【０００２】
【従来の技術】
従来、携帯端末は表示画面が小さいため、表示画面の一部領域の情報を得るためにその一部領域をズーム可能に構成されている。
【０００３】
【発明が解決しようとする課題】
しかし、上記従来の携帯端末では、表示画面をズームする操作は複雑であり、また、携帯端末の大きさが小さいために、任意に指定した表示画面領域のズームを容易に行えないので、ユーザにとっては使い勝手が悪かった。
【０００４】
本発明は、この点に着目してなされたものであり、表示画面のズームに関するユーザの使い勝手を向上させることができる携帯端末を提供することを目的とする。
【０００５】
【課題を解決するための手段】
上記目的を達成するため、請求項１に記載の携帯端末は、画像を表示するとともに、該画像上にズーム領域を表示する表示手段と、前記ズーム領域の位置および大きさを指示する指示手段と、前記ズーム領域が、前記指示手段によって指示された位置および大きさになるように、前記表示手段を制御する制御手段と、該制御手段によって制御されたズーム領域に基づいて、該ズーム領域内の画像をズームするズーム手段とを有することを特徴とする。
【０００６】
【発明の実施の形態】
以下、本発明の実施形態を図面に基づいて詳細に説明する。
【０００７】
（第１の実施の形態）
図１は、本発明の第１の実施の形態に係る携帯端末の概略構成を示すブロック図である。
【０００８】
同図において、ＣＰＵ（中央演算処理）１は、本携帯端末全体の制御を司る。ＣＰＵ１には、制御プログラムを記憶しているＲＯＭ（リードオンリーメモリ）２、ＲＡＭ（ランダムアクセスメモリ）３、データ格納部４、ＬＣＤ（Ｌｉｑｕｉｄ  Ｃｒｙｓｔａｌ  Ｄｉｓｐｌａｙ）コントロール部１１およびタブレットコントロール部９がそれぞれ接続されている。
【０００９】
ＬＣＤコントロール部１１には、表示駆動部１２を介して、例えばカラー液晶からなる表示部１３が接続されている。
【００１０】
タブレットコントロール部９には、表示部１３上に表示された画像に対するユーザの操作を検出するための手書きタブレット１０が接続されている。
【００１１】
ＣＰＵ１は、ＲＯＭ２内の制御プログラムに基づいて各種制御を行う。これらの制御の中には、ＲＡＭ３からＬＣＤコントロール部１１へデータをＤＭＡ（Ｄｉｒｅｃｔ  Ｍｅｍｏｒｙ  Ａｃｃｅｓｓ）転送する処理、また、画像データをＪＰＥＧ（Ｊｏｉｎｔ  Ｐｈｏｔｏｇｒａｐｈｉｃ  Ｅｘｐｅｒｔｓ  Ｇｒｏｕｐ）圧縮し、ファイル形式でデータ格納部４へ格納する処理などが含まれる。
【００１２】
ＲＡＭ３は、画像展開エリア３ａ、ワークエリア３ｂ、ＶＲＡＭ３ｃおよび一時退避エリア３ｄを備えている。画像展開エリア３ａは、データ格納部４から読み出されたＪＰＥＧ圧縮画像データを一時的に格納するためのテンポラリバッファとして、また、画像圧縮処理や解凍処理のための画像専用ワークエリアとして使用される。ワークエリア３ｂは、制御プログラムを含む各種アプリケーションプログラムのためのワークエリアである。ＶＲＡＭ３ｃは、表示部１３へ表示する表示データを格納するＶＲＡＭ（Ｖｉｄｅｏ  ＲＡＭ）として使用される。また、一時退避エリア３ｄは、各種データを一時退避させるためのエリアである。
【００１３】
データ格納部４は、ＣＰＵ１によりＪＰＥＧ圧縮された撮影画像データ、あるいはアプリケーションプログラムによって参照される各種付属データ等をファイル形式で格納しておくためのメモリであり、本実施の形態ではフラッシュメモリで構成される。
【００１４】
ＬＣＤコントロール部１１は、データ格納部４中の画像ファイルに対してＪＰＥＧ解凍を行って生成したＹＵＶデジタル画像データを受け取り、ＲＧＢデジタル信号へ変換した後、表示駆動部１２へ出力する処理を行う。
【００１５】
表示駆動部１２は、表示部１３を駆動するための制御を行う。
【００１６】
表示部１３は、画像を表示するための表示器である。
【００１７】
操作ＳＷ（スイッチ）群１９は、本携帯端末に格納されたアプリケーションプログラムの実行を指示したり、画面移動等のコマンドを指示したりするためのスイッチである。
【００１８】
ブザー２０は、本携帯端末のコマンドの実行状況音あるいは警告音をユーザに知らせるためのものであり、ＣＰＵ１からの信号により音声出力を行う。
【００１９】
図２は、本実施の形態の携帯端末の外観構成を示す図である。
【００２０】
同図に示すように、本体１０１の上面には、表示部１３とともに、複数の操作キー１０４〜１１２（図１の操作ＳＷ群１９に相当）が設けられている。ここで、キー１０５〜１０８は、それぞれ、上／下／左／右の各方向を指示する方向キーであり、キー１０９〜１１２は、コマンドの実行を指示するキーである。
【００２１】
以下、以上のように構成された携帯端末が実行する画面ズーム処理を、図３〜図５のフローチャートおよび図６の表示例に基づいて説明する。
【００２２】
図３は、本実施の形態の携帯端末の画面上に、ズームを補助するためのズーム枠を表示させる処理の手順を示すフローチャートである。
【００２３】
同図において、まず、ステップＳ１で、本携帯端末上にてユーザが画像表示や地図表示等のアプリケーションを実行すると、ステップＳ２では、図６（ａ）に示すような画像を表示部１３に表示する。
【００２４】
次に、ステップＳ３では、ユーザが、操作ＳＷ群１９の入力操作を行ったか、または携帯端末上の表示部１３に表示されるコマンドアイコン２０２〜２０６の入力操作を手書きタブレット１０により行ったかを判定し、ユーザによる入力操作が検出されるまで待機する。
【００２５】
ステップＳ３で、入力操作が検知されると、ステップＳ４に進み、入力検出した操作内容がズーム枠の表示を行う指示、つまり図６（ａ）のボタン２０２の操作であるかどうかを判定し、ズーム枠の表示が指示されている場合には、図４のステップＳ２１で、図６（ｂ）に示すように、ズーム枠２０９を表示する。
【００２６】
一方、ステップＳ４で、ズーム枠の表示が指示されていない場合には、ステップＳ５に進み、直前に行われ、取り消された操作を再度実行するＲＥＤＯコマンドの指示入力であるかどうかの判定を行う。このとき、ＲＥＤＯコマンドを指示する入力が行われた場合には、ステップＳ６に進み、図４のステップＳ２８の直前に実行した操作を取り消すＵＮＤＯ処理により、図６（ｂ）のズーム枠２０９を表示させていた画面から図６（ａ）のズーム枠のない画面表示に戻って来ているかどうかを調べ、ＵＮＤＯ処理を実行して図６（ａ）の画面表示になっている場合は、ステップＳ７に進んで、ＲＥＤＯ処理を行い、ズーム枠２０９を再度表示させ、図６（ｂ）の表示を行う。
【００２７】
一方、ステップＳ６で、ステップＳ２８のＵＮＤＯ処理が行われていない場合は、ステップＳ３の入力検出に戻る。
【００２８】
ステップＳ５で、ＲＥＤＯコマンドの指示入力ではない場合は、ステップＳ８に進み、ＵＮＤＯコマンドの指示入力であるかどうかの判定を行う。このとき、ＵＮＤＯコマンドを指示する入力が行われた場合には、ステップＳ９に進み、現在の画面表示が、図６（ｃ）または図６（ｄ）の表示のように、ズーム処理によるズーム表示画面であるかを判定し、ズーム表示画面であれば、ステップＳ１０に進んで、ＵＮＤＯ処理を行い、図６（ｂ）に示す表示に戻った後、図５のステップＳ４１に進み、ズーム枠２０９の大きさを設定変更する処理へ移行する。
【００２９】
一方、ステップＳ９で、現在の画面表示がズーム表示画面ではない場合には、ステップＳ３の入力検出に戻る。
【００３０】
一方、ステップＳ８で、ＵＮＤＯコマンドの指示入力でない場合には、ステップＳ１１に進み、ズーム設定変更の指示入力であるかどうかの判定を行う。ズーム設定変更とは、例えば、ズーム枠２０９の幅設定等を変更することをいう。
【００３１】
ステップＳ１１で、ズーム設定変更を指示する入力がなされた場合には、ステップＳ１２に進み、ユーザの指示に応じてズーム設定を変更した後、ステップＳ３の入力検出に戻る。
【００３２】
一方、ステップＳ１１で、ズーム設定変更を指示する入力がなされていない場合、つまり上述していない入力が検出された場合には、何もせずに、ステップＳ３の入力検出に戻る。
【００３３】
図４は、ズーム枠２０９が表示されてから、ズームの中心位置を確定し、ズーム枠を確定するまでの処理の手順を示すフローチャートである。
【００３４】
まず、ステップＳ２１では、図６（ｂ）のように、ズーム枠２０９を表示する。
【００３５】
次に、ステップＳ２２では、ユーザが、操作ＳＷ群１９の入力操作を行ったか、または携帯端末上の表示部１３に表示されるコマンドアイコン２０２〜２０６の入力操作を手書きタブレット１０により行ったかを判定し、ユーザによる入力操作が検出されるまで待機する。
【００３６】
ステップＳ２２で、入力操作が検知されると、ステップＳ２３に進み、入力検出した操作内容がズーム枠２０９の位置を決定する指示であるかどうかを判定し、ズーム枠２０９の位置を決定する指示がなされている場合には、図５のステップＳ４１に進み、ズーム枠２０９の位置を確定する。
【００３７】
一方、ステップＳ２３で、ズーム枠２０９の位置を決定する指示がなされていない場合には、ステップＳ２４に進み、前記ＲＥＤＯコマンドの指示入力であるかどうかの判定を行う。このとき、ＲＥＤＯコマンドを指示する入力が行われた場合には、ステップＳ２５に進み、図５のステップＳ５１のＵＮＤＯ処理から、このステップＳ２５に戻って来ているかどうかを調べ、ステップＳ５１から戻って来ている場合には、ステップＳ２６に進んで、ＲＥＤＯ処理を行い、ズーム枠２０９を再度確定する。
【００３８】
一方、ステップＳ２５で、ステップＳ５１から戻って来ていない場合には、ステップＳ２２の入力検出に戻る。
【００３９】
一方、ステップＳ２４で、ＲＥＤＯコマンドの指示入力ではない場合には、ステップＳ２７に進み、前記ＵＮＤＯコマンドの指示入力であるかどうかの判定を行う。このとき、ＵＮＤＯコマンドを指示する入力が行われた場合には、ステップＳ２８に進み、図６（ｂ）に示されるズーム枠２０９の表示を消す等のＵＮＤＯ処理を行って、図６（ａ）に示す表示を行った後、前記図３のステップＳ２へ戻る。
【００４０】
一方、ステップＳ２７で、ＵＮＤＯコマンドの指示入力ではない場合には、ステップＳ２９に進み、ズーム枠移動の指示入力であるかどうかの判定を行う。このとき、ズーム枠移動を指示する入力が行われた場合には、ステップＳ３０に進み、ユーザが操作ＳＷ群１９または手書きタブレット１０によりズーム枠２０９の位置を動かすと、それに応じてズーム枠を移動させる。
【００４１】
一方、ステップＳ２９で、ズーム枠移動を指示する入力ではない場合には、ステップＳ３１に進み、ズーム設定変更の指示入力であるかどうかの判定を行う。このとき、ズーム設定変更を指示する入力が行われた場合には、ステップＳ３２に進み、ユーザの指示に応じてズーム設定を変更した後、ステップＳ２２の入力検出に戻る。
【００４２】
一方、ステップＳ３１で、ズーム設定変更を指示する入力がなされていない場合、つまり上述していない入力が検出された場合には、何もせずに、ステップＳ２２の入力検出に戻る。
【００４３】
図５は、ズーム枠２０９の位置が確定されてから、実際にズームを行うまでの処理の手順を示すフローチャートである。
【００４４】
まず、ステップＳ４１では、ズーム枠２０９の位置を確定する。
【００４５】
次に、ステップＳ４２では、ユーザが、操作ＳＷ群１９の入力操作を行ったか、または携帯端末上の表示部１３に表示されるコマンドアイコン２０２〜２０６の入力操作を手書きタブレット１０により行ったかを判定し、ユーザによる入力操作が検出されるまで待機する。
【００４６】
ステップＳ４２で、入力操作が検知されると、ステップＳ４３に進み、入力検出した操作内容がズーム枠２０９の大きさを決定する指示、つまりズームの倍率を決定する指示であるかどうかを判定する。このとき、ズーム枠２０９の大きさを決定する入力指示を行った場合には、ステップＳ４４に進み、画面をズームインするかズームアウトするかの判定を行い、画面をズームインする場合には、ステップＳ４５に進み、画面ズームイン処理を行い、図６（ｂ）に示す表示からズーム枠２０９を消去し、図６（ｃ）に示すように、表示画面をズームインした表示を行い、ズームイン表示を完了する。
【００４７】
一方、ステップＳ４４で、画面をズームアウトする場合には、ステップＳ４６に進み、画面ズームアウト処理を行い、図６（ｂ）に示す表示からズーム枠２０９を消去し、図６（ｄ）に示すように、表示画面をズームアウトした表示を行い、ズームアウト表示を完了する。
【００４８】
一方、ステップＳ４３で、ズーム枠２０９の大きさを決定する入力指示を行わない場合には、ステップＳ４７に進み、前記ＲＥＤＯコマンドの指示入力であるかどうかの判定を行う。このとき、ＲＥＤＯコマンドを指示する入力が行われた場合には、ステップＳ４８に進み、前記図３のステップＳ１０のＵＮＤＯ処理により、ズームインした図６（ｃ）の表示またはズームアウトした図６（ｄ）の表示からズーム枠２０９を表示し、ズーム枠２０９の位置が固定されている、ズームを行う直前の図６（ｂ）に示される表示に戻って来ているかどうかを調べ、ステップＳ１０のＵＮＤＯ処理が行われている場合には、ステップＳ４９に進んで、ＲＥＤＯ処理を行い、ズームインまたはズームアウト処理を再度実行し、図６（ｂ）の表示からズーム枠２０９を消去して、ズームを行い、図６（ｃ）または図６（ｄ）に示される表示を行う。
【００４９】
一方、ステップＳ１０のＵＮＤＯ処理が行われていない場合には、ステップＳ４２の入力検出に戻る。
【００５０】
一方、ステップＳ４７で、ＲＥＤＯコマンドの指示入力ではない場合には、ステップＳ５０に進み、ＵＮＤＯコマンドの指示入力であるかどうかの判定を行う。このとき、ＵＮＤＯコマンドを指示する入力が行われた場合には、ステップＳ５１に進み、位置が確定され、移動することのできなかったズーム枠２０９を移動可能にするＵＮＤＯ処理を行い、図４のステップＳ２１へ移行する。
【００５１】
一方、ステップＳ５０で、ＵＮＤＯコマンドの指示入力ではない場合には、ステップＳ５２に進み、ズーム枠２０９の大きさを変更する指示入力であるかどうかの判定を行う。このとき、ズーム枠２０９の大きさを変更する指示入力が行われた場合には、ステップＳ５３に進み、ユーザが操作ＳＷ群１９または手書きタブレット１０を用いてズーム枠２０９を動かすと、これに応じてズーム枠２０９の大きさを変更する。
【００５２】
一方、ステップＳ５２で、ズーム枠２０９の大きさを変更する指示入力ではない場合には、ステップＳ５４に進み、ズーム設定変更の指示入力であるかどうかの判定を行う。このとき、ズーム設定変更を指示する入力が行われた場合には、ステップＳ５５に進み、ユーザの指示に応じてズーム設定を変更した後、ステップＳ４２の入力検出に戻る。
【００５３】
一方、ステップＳ５４で、ズーム設定変更を指示する入力が行われていない場合、つまり上述していない入力検出の場合には、何もせずに、ステップＳ４２の入力検出に戻る。
【００５４】
以上説明したように、本実施例の形態では、表示された画面を倍率指定によらず補助のズーム枠を用いることで、視覚的にズームを行えるようにしたので、ズーム操作の失敗を減少させることができる。
【００５５】
また、ズーム操作を失敗したとしても、ＵＮＤＯ，ＲＥＤＯコマンド等により短時間で画面の拡大／縮小の倍率を変更するようにしたので、使い勝手を向上させることができる。
【００５６】
（第２の実施の形態）
上記第１の実施の形態では、ズームを行う際にズーム補助のためのズーム枠を表示し、そのズーム枠の大きさを自由に変更して倍率を設定した後、ズームを行い、画像をズームさせている。本実施の形態では、ズームの等倍／変倍変更設定、およびズーム倍率に合わせた情報をズーム枠に付記することで、そのズーム枠の使い方を容易にして、ズーム操作をさらに簡単にするようにしたものである。
【００５７】
なお、本実施の形態におけるハードウェアの構成は、上記第１の実施の形態のものを用いている。
【００５８】
本実施の形態のズーム処理は、上記第１の実施の形態のズーム処理（図３〜図５）中、図５のステップＳ５３の処理のみを、図７のフローチャートに示す処理に変更することで実現している。この変更後の処理手順を、図７のフローチャートおよび図８（ａ），（ｂ）、図９の表示例を用いて説明する。
【００５９】
図７のステップＳ５２（図５のステップＳ５２と同じ）で、ズーム枠の大きさを変更する指示入力が行われた場合には、ステップＳ６１に進み、ズームを行う画像が等倍ズームであるかどうかを判定する。等倍ズームとは、ズームする画像の縦／横のズーム倍率が等倍であることを意味する。また、等倍ズームの選択は、随時設けてあるズーム設定変更処理（ステップＳ１２，Ｓ３２，Ｓ５５）によって行う。
【００６０】
ステップＳ６１で、等倍ズームのときには、ステップＳ６２に進み、図８（ａ）に示すように、カーソル３０３を用いてズーム枠の大きさを変更すると、点３０２を中心としてズーム枠３０１Ａからズーム枠３０４Ａに縦・横のズーム枠の大きさを連動させて変更する。
【００６１】
一方、ステップＳ６１で、等倍ズーム設定でない場合には、ステップＳ６７に進み、変倍ズームを行う。変倍ズームとは、ズームする画像の縦／横のズーム倍率が異なる倍率であることを意味する。
【００６２】
ステップＳ６７では、入力検出した動作ＳＷ群１９または手書きタブレット１０の方向が縦方向であるかどうかを判定する。このとき、縦方向である場合には、ステップＳ６８に進み、図８（ｂ）に示すように、枠移動時の点３０２を中心として、ズーム枠３０１Ｂからズーム枠３０４Ｂに、縦方向にズーム枠の大きさを変更する。
【００６３】
一方、ステップＳ６７で、入力検出が縦方向でない、つまり横方向の場合には、ステップＳ６９に進み、横方向にズーム枠の大きさを変更する。
【００６４】
ズーム枠の大きさを変更する、ステップＳ６２，Ｓ６８，Ｓ６９の処理後、ステップＳ６３に進み、ズーム倍率に応じてズーム枠の幅を変更するかどうかの判定を行う。なお、ズーム枠の幅を変更するかどうかの選択は、随時設けてあるズーム設定変更処理（ステップＳ１２，Ｓ３２，Ｓ５５）によって行う。
【００６５】
図９は、ズーム倍率に応じてズーム枠の幅を変更した一例を示す図である。
【００６６】
同図に示すように、ステップＳ６３で、ズーム枠４０１の大きさをズーム枠４０２に、より大きく変更すると、点３０２を中心として、ズーム枠４０２のように、ズーム倍率に応じてズーム枠の幅をより太くする。
【００６７】
ステップＳ６３，Ｓ６４の処理後、ステップＳ６５に進み、ズーム倍率に応じて音出力を行うかどうかの判定を行う。なお、音出力を行うかどうかの選択は、随時設けてあるズーム設定変更処理（ステップＳ１２，Ｓ３２、Ｓ５５）によって行う。ステップＳ６５で、ズーム倍率に応じて音出力を行う指定がなされている場合には、ズーム枠の大きさ変更時、ステップＳ６６にてズーム倍率に応じた音の大きさまたは音色をブザー２０から出力する。
【００６８】
そして、ステップＳ６５，Ｓ６６の処理後、ステップＳ４２に戻り、入力検出を行う。
【００６９】
このように、本実施の形態では、表示された画面をズーム倍率の設定に応じて、ズーム枠の幅または音出力を変更し、ズーム倍率の設定を視覚的に行うようにしたので、ズーム倍率設定時の失敗が減少し、短時間で画面のズームを行うことができる。
【００７０】
（第３の実施の形態）
前記第１の実施の形態では、ズームを行う際にズーム補助のためのズーム枠表示を設けたが、本実施の形態では、ズーム枠に、破線、色、太さという情報を付加するようにしている。
【００７１】
なお、本実施の形態におけるハードウェアの構成は、前記第１の実施の形態と同様のものを用いている。
【００７２】
本実施の形態のズーム処理は、図３〜図５のフローチャートで示したもの、つまり前記第１の実施の形態で説明したものと同様なものを用いて実現している。
【００７３】
図１０（ａ）は、ズーム枠２０９を移動させる際のズーム枠始点位置を示す図である。
【００７４】
同図において、ズーム枠始点位置は、中心である点５０５とズーム枠の四隅である点５０１〜５０４からなる。ユーザは、まず随時設けてあるズーム設定変更処理（ステップＳ１２，Ｓ３２，Ｓ５５）によって、点５０１〜５０５からズーム枠の移動始点位置を決定する。例えば、点５０１をズーム枠移動始点にした場合には、図１０（ｂ）に示すように、ズーム枠２０９は点５０１を始点にしてズーム枠５０６へ移動する。
【００７５】
図１１（ａ），（ｂ）は、ズーム枠の表示態様を表示画面のズームイン時とズームアウト時とで異ならせた一例を示す図である。
【００７６】
ユーザは、まず随時設けてあるズーム設定変更処理（ステップＳ１２，Ｓ３２，Ｓ５５）によって、ズームイン／ズームアウトそれぞれのズーム枠の表示態様を決定する。
【００７７】
実際にズーム枠を表示させると、ズームイン時は、図１１（ａ）に示す、一点鎖線のズーム枠６０１が表示され、ズームアウト時は、図１１（ｂ）に示す、二点鎖線のズーム枠６０２が表示される。
【００７８】
ズームの枠の表示形態は、図１１（ａ），（ｂ）に示す鎖線に限らず、ズーム枠の色、ズーム枠幅の太さを変えるようにしても良い。
【００７９】
このように、本実施例の形態では、画面上のズーム枠の表示形態をズームの種類に応じて変え、ズーム倍率設定を視覚的に行うようにしたので、ズーム時の失敗が減少し、短時間で画面のズームを行ことができる。
【００８０】
なお、上述した各実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００８１】
この場合、記憶媒体から読出されたプログラムコード自体が本発明の新規な機能を実現することになり、そのプログラムコードを記憶した記憶媒体は本発明を構成することになる。
【００８２】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００８３】
また、コンピュータが読出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した各実施の形態の機能が実現される場合も含まれることは言うまでもない。
【００８４】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した各実施の形態の機能が実現される場合も含まれることは言うまでもない。
【００８５】
以下、本発明の実施態様の例を列挙する。
【００８６】
（実施態様１）  画像を表示するとともに、該画像上にズーム領域を表示する表示手段と、
前記ズーム領域の位置および大きさを指示する指示手段と、
前記ズーム領域が、前記指示手段によって指示された位置および大きさになるように、前記表示手段を制御する制御手段と、
該制御手段によって制御されたズーム領域に基づいて、該ズーム領域内の画像をズームするズーム手段と
を有することを特徴とする携帯端末。
【００８７】
（実施態様２）  ズーム態様を選択するズーム態様選択手段をさらに有し、
前記制御手段は、前記ズーム態様選択手段によって選択されたズーム態様に応じて、当該ズーム領域の大きさを制御する
ことを特徴とする実施態様１に記載の携帯端末。
【００８８】
（実施態様３）  前記ズーム態様は、等倍ズームおよび変倍ズームを含むことを特徴とする実施態様２に記載の携帯端末。
【００８９】
（実施態様４）  直前に実行され、取り消された操作を再度実行するＲＥＤＯ手段と、
直前に実行された操作を取り消して、元の状態に戻すＵＮＤＯ手段と
をさらに有することを特徴とする実施態様１に記載の携帯端末。
【００９０】
（実施態様５）  前記制御手段によって制御されたズーム領域の大きさに応じて、ズーム領域の表示態様を変更する変更手段をさらに有することを特徴とする実施態様１に記載の携帯端末。
【００９１】
（実施態様６）  前記制御手段によって制御されたズーム領域の大きさに応じて、通知態様を変更し、ユーザに通知する通知手段をさらに有することを特徴とする実施態様１に記載の携帯端末。
【００９２】
（実施態様７）  前記制御手段により、当該ズーム領域の大きさが制御されるときに、該大きさ制御の中心位置を設定する設定手段をさらに有することを特徴とする実施態様１に記載の携帯端末。
【００９３】
（実施態様８）  表示手段に画像を表示するとともに、該画像上にズーム領域を表示する表示ステップと、
前記ズーム領域が、指示手段によって指示された位置および大きさになるように、前記表示ステップを制御する制御ステップと、
該制御ステップによって制御されたズーム領域に基づいて、該ズーム領域内の画像をズームするズームステップと
を有することを特徴とする携帯端末の制御方法。
【００９４】
（実施態様９）  携帯端末の制御方法を、コンピュータに実現させるためのプログラムであって、
前記制御方法は、
表示手段に画像を表示するとともに、該画像上にズーム領域を表示する表示ステップと、
前記ズーム領域が、指示手段によって指示された位置および大きさになるように、前記表示ステップを制御する制御ステップと、
該制御ステップによって制御されたズーム領域に基づいて、該ズーム領域内の画像をズームするズームステップと
を有することを特徴とするプログラム。
【００９５】
【発明の効果】
以上説明したように、本発明によれば、表示画面のズームしたい領域を確実かつ容易にズームできて、拡大／縮小画面を表示させることができるので、ユーザの使い勝手を向上させることができる。
【図面の簡単な説明】
【図１】本発明の第１の実施の形態に係る携帯端末の概略構成を示すブロック図である。
【図２】図１の携帯端末の外観構成を示す図である。
【図３】図１の携帯端末の画面上に、ズームを補助するためのズーム枠を表示させる処理の手順を示すフローチャートである。
【図４】ズーム枠が表示されてから、ズームの中心位置を確定し、ズーム枠を確定するまでの処理の手順を示すフローチャートである。
【図５】ズーム枠の位置が確定されてから、実際にズームを行うまでの処理の手順を示すフローチャートである。
【図６】図４〜図６のズーム処理を説明するための図である。
【図７】本発明の第２の実施の形態に係る携帯端末で実行されるズーム処理中、図４〜図６のズーム処理と異なる処理の手順を示すフローチャートである。
【図８】図７のズーム処理を説明するための図である。
【図９】ズーム倍率に応じてズーム枠の幅を変更した一例を示す図である。
【図１０】本発明の第３の実施の形態に係る携帯端末において、ズーム枠を移動させる処理を説明するための図である。
【図１１】ズーム枠の表示態様を表示画面のズームイン時とズームアウト時とで異ならせた一例を示す図である。
【符号の説明】
１  ＣＰＵ
２  ＲＯＭ
３  ＲＡＭ
３ａ  画像展開エリア
３ｂ  ワークエリア
３ｃ  ＶＲＡＭ
３ｄ  一時退避エリア
４  データ格納部
９  タブレットコントロール部
１０  タブレット
１１  ＬＣＤコントロール部
１２  表示駆動部
１３  表示部
１９  操作スイッチ群
２０  ブザー
１０１  本体
１０４〜１１２  操作キー
【図１】
2004157869.tif 000003
【図２】
2004157869.tif 000004
【図３】
2004157869.tif 000005
【図４】
2004157869.tif 000006
【図５】
2004157869.tif 000007
【図６】
2004157869.tif 000008
【図７】
2004157869.tif 000009
【図８】
2004157869.tif 000010
【図９】
2004157869.tif 000011
【図１０】
2004157869.tif 000012
【図１１】
2004157869.tif 000013